(57)【要約】  この発明は、平坦な製品（１０，２０）、特定的には印刷製品、の重なりフロー（Ｓ１，Ｓ２）を共通の製品フロー（Ｐ３）に組み合わせるための方法および装置に関する。第１または第２の重なりフロー（Ｓ１，Ｓ２）からの製品（１０，２０）は中間コンベア（５０）によって受取られ、中間コンベア（５０）によって第１の製品フロー（Ｐ１）または第２の製品フロー（Ｐ２）へと運ばれる。製品フロー（Ｐ１，Ｐ２）の距離（ｄ）は、製品フロー（Ｐ１，Ｐ２）が共通の製品フロー（Ｐ３）を形成するように連続的に減少する。この発明に従うと、製品（１０，２０）は、少なくとも製品フロー（Ｐ１，Ｐ２）を組み合わせる直前には、空間（１２，２２）が少なくとも第１または第２の製品フロー（Ｐ１，Ｐ２）内で製品のグループ（１０，２０）の間に配置されるように搬送される。製品フロー（Ｐ１，Ｐ２）の少なくとも１つのうちの製品（１０，２０）は、他の製品フロー（Ｐ１，Ｐ２）の製品（１０，２０）に対して、表面法線（１４，２４）に実質的に垂直に延在する方向に変位され、表面法線（１４，２４）の実質的に水平な向きで他の製品フロー（Ｐ１，Ｐ２）の中で空間（１２，２２）へと挿入され、これにより共通の製品フロー（Ｐ３）を作り出す。
2010516586.tif 000002
【特許請求の範囲】
【請求項１】
特に印刷製品のような平坦な製品（１０，２０）の少なくとも１つの第１の重なりフローおよびこれから距離を置く第２の重なりフロー（Ｓ１，Ｓ２）を、第１または第２の重なりフロー（Ｓ１，Ｓ２）の製品（１０，２０）からなる共通の製品フロー（Ｐ３）に統合するための方法であって、該製品（１０，２０）は、中間コンベア（５０）によって第１および第２の重なりフロー（Ｓ１，Ｓ２）からそれぞれによって受取られ、かつ中間コンベア（５０）よってそれぞれ第１の製品フロー（Ｐ１）および第２の製品フロー（Ｐ２）において搬送され、製品フロー（Ｐ１，Ｐ２）の距離（ｄ）は、製品フロー（Ｐ１，Ｐ２）が同じ空間領域（１８，２８）を少なくともほぼ通って動いて共通の製品フロー（Ｐ３）を形成するように、連続的に減少する方法において、第１および第２の製品フロー（Ｐ１，Ｐ２）内における個々の製品（１０，２０）または製品（１０，２０）のグループの間でそれぞれ空間間隔（１２，２２）が形成され、自身の表面法線（１４，２４）が本質的に水平の向きにある製品フロー（Ｐ１，Ｐ２）の少なくとも１つの製品（１０，２０）が他方の製品フロー（Ｐ１，Ｐ２）において空間間隔（１２，２２）の中に挿入され、共通の製品フロー（Ｐ３）を作り出すことを特徴とする、方法。
【請求項２】
少なくとも製品フロー（Ｐ１，Ｐ２）の統合の間の製品（１０，２０）は、それらの縁部および表面法線（１４，２４）が空間において一定に整列することを特徴とする、請求項１に記載の方法。
【請求項３】
両方の製品フロー（Ｐ１，Ｐ２）の製品（１０，２０）は、互いに対応する縁部およびそれらの表面法線（１４，２４）が互いに平行に延在するような態様で互いに対して整列して搬送され、統合の間、それらの表面法線（１４，２４）に対して垂直に互いに対して変位することを特徴とする、請求項２に記載の方法。
【請求項４】
中間コンベアは、特にグリッパのような、第１および第２のコンベア経路（５３，５３′）に沿ってそれぞれ動かされる第１および第２のコンベア手段（５２，５２′）の２つのグループ（５１，５１′）をそれぞれ含み、製品（１０，２０）は、第１および第２のコンベア手段（５２，５２′）によってそれぞれ第１および第２の重なりフロー（Ｓ１，Ｓ２）から受取られ、第１および第２のコンベア手段（５２，５２′）の相対運動によってそれぞれ共に共通の製品フロー（Ｐ３）へと導かれ、これにより第１および／または第２のコンベア手段（５２，５２′）によってさらに搬送されることを特徴とする、先行する請求項の１つに記載の方法。
【請求項５】
製品フロー（Ｐ１，Ｐ２）の少なくとも１つの製品（１０，２０）は、重なり形成物（Ｓ１，Ｓ２）において自身の前または後の縁部にて保持され、少なくとも製品フロー（Ｐ１，Ｐ２）の統合の直前まで吊りかけおよび／または立位の態様で搬送されることを特徴とする、請求項４に記載の方法。
【請求項６】
製品フロー（Ｐ１，Ｐ２）の統合の後の第１のコンベア経路（５３）は、第２のコンベア経路（５３）と平行で、かつ水平方向に距離を置いて延在することを特徴とする、先行する請求項の１つに記載の方法。
【請求項７】
少なくとも製品フロー（Ｐ１，Ｐ２）の統合の間の第１のコンベア経路（５３）は、第２のコンベア経路（５３′）と平行で、かつ垂直方向に距離を置いて延在することを特徴とする、先行する請求項の１つに記載の方法。
【請求項８】
中間コンベア（５０）は半径方向に開口する複数のコンベアコンパートメント（８２）を有する回転可能なコンベアドラム（８０）であり、第１および第２の重なりフロー（Ｓ
１，Ｓ２）からの製品（１０，２０）は、各々の場合、互いに軸方向に距離を置く転送位置（６２，６２′）にて共通のコンベアコンパートメント（８２）へと導かれ、コンベアドラム（８０）の回転の間、共通のコンベアコンパートメント（８２）に配される製品（１０，２０）は、重畳するような態様で軸方向において互いに対して変位することを特徴とする、請求項１に記載の方法。
【請求項９】
共通の製品フロー（Ｐ３）は、個々の製品（１０，２０）、または製品（１０，２０）のグループからなり、前記製品または製品のグループは交互の順序で配され、各々の場合、第１または第２の重なりフロー（Ｓ１，Ｓ２）を起源とすることを特徴とする、先行する請求項の１つに記載の方法。
【請求項１０】
先行する請求項の１つに記載の方法を実施するための装置であって、前記装置は、第１および第２の重なりフロー（Ｓ１，Ｓ２）から製品を受取ることが可能であるとともに、それらをそれぞれ第１の製品フロー（Ｐ１）および第２の製品フロー（Ｐ２）において、第１および第２の製品フロー（Ｐ１，Ｐ２）内でそれぞれ空間間隔（１２，２２）が作り出されるような態様で搬送可能なコンベア手段（５２，５２′，８２）と、製品フロー（Ｐ１，Ｐ２）が少なくとも同じ空間領域（１８，２８）をほぼカバーするとともに共通の製品フロー（Ｐ３）を形成するような態様で製品フロー（Ｐ１，Ｐ２）の距離（ｄ）を低減するための手段とを有し、距離（ｄ）を低減するための手段は、製品フロー（Ｐ１，Ｐ２）の少なくとも１つの製品（１０，２０）を、それらの表面法線（１４，２４）が本質的に水平の向きにある状態で、他の製品フロー（Ｐ１，Ｐ２）内の空間間隔（１２，２２）の中に変位させるための手段を含むことを特徴とする、装置。
【請求項１１】
前記装置は特にグリッパのような第１および第２のコンベア手段（５２，５２′）の２つのグループ（５１，５１′）をそれぞれ含み、前記グループは互いに独立しており、前記コンベア手段はそれぞれ第１および第２のコンベア経路（５３，５３′）に沿って移動可能であり、第１および第２のコンベア経路（５３，５３′）はコンベア経路（５３，５３′）の過程において変化する互いに対する距離（ｄ，ｄ′）を有することを特徴とする、請求項１０に記載の装置。
【請求項１２】
第１および第２のコンベア経路（５３，５３′）は、水平方向において互いに距離を置くよう配されることを特徴とする、請求項１１に記載の装置。
【請求項１３】
互いに平行に方向付けされるとともに、各々の場合、それぞれ閉じた第１および第２の旋回経路に沿って移動可能である複数の第１および第２のガイドロッド（５７、５７′）によって特徴づけされる前記装置であって、前記第１および第２の旋回経路は第１および第２のガイドロッド（５７、５７′）に対して垂直に方向付けされ、第１および第２の旋回経路は互いに対して平行に延在し、第１および第２のコンベア手段（５２，５２′）は、各々の場合、ガイドロッド（５７、５７′）の上に搭載されるとともに、コンベア手段（５２，５２′）の距離を変化させるためにこれに沿って変位可能である、請求項１２に記載の装置。
【請求項１４】
第１のコンベア経路（５３）は、垂直方向において第２のコンベア経路（５３′）の上に配されることを特徴とする、請求項１１に記載の装置。
【請求項１５】
第２のコンベア手段（５２′）は、第１のコンベア手段（５２）が搬送する製品（１０）を受取ることが可能であるとともに第１および第２の製品（１０，２０）をともに搬送することが可能であることを特徴とする、請求項１４に記載の装置。
【請求項１６】
前記装置は、半径方向に開口する複数のコンベアコンパートメントを有する回転可能な
コンベアドラム（８０）を含み、距離を低減するための手段は、共通のコンベアコンパートメント（８２）に配される製品（１０，２０）を、コンベアドラム（８０）の回転の間、互いに重畳するような態様で軸方向において互いに対して変位させることが可能であることを特徴とする、請求項１１に記載の装置。
【発明の詳細な説明】
【技術分野】
【０００１】
この発明は、平坦な製品、特に印刷製品、についてのコンベア技術の分野に存在し、請求項１の特徴を有する、少なくとも１つの第１の重なりフローとそこから離れた距離にある第２の重なりフローとを統合するための方法、および請求項１０の特徴を有する、当該方法を実施するための装置に関する。
【背景技術】
【０００２】
特に印刷製品を処理する分野では、平坦な製品の重なりフローを共に共通の製品フローへと導く作業がしばしば行なわれる。元々のフローは互いに分離している。共通の製品フローは、重なりフローであってもよいが、例えばグリッパによって個々にもしくはグループで把持される製品のフローといったように、異なって設計されてもよいし、または、いくつかの製品の１つ以上の積み重なったもの（stack）であってもよい。たとえば、回転印刷マシンの中には、印刷製品を横方向のオフセットで互いに折り込まれる対を、重なり形成物になるように送出するものがある。２つの別個の重なりフローは、この重なり形成物をオフセット方向、すなわち搬送方向に対して横断方向、に離れるように引張ることによって作り出される。さらなる処理のためには、これらの別個の重なりフローを再び共に共通の製品フローへと導くことが望ましい。
【０００３】
平坦な製品は、厚みが長さおよび幅よりも著しく小さい製品として理解されるべきである。当該製品の表面法線と言う場合、前表面または後表面の表面法線、すなわち、製品の厚みまたは最も小さい寸法の方向における表面法線を意味する。概して、製品の距離、たとえば任意の時点での前縁部の距離、が製品の長さまたは幅よりも著しく小さい空間的にコンパクトな形成物での搬送が望ましい。
【０００４】
当該技術水準では既に、２つの重なりフローを統合するための２つの異なる方法または装置が開示される。
【０００５】
ＥＰ−Ｂ  ０  １５５  ６３３は、たとえば、ジッパーを閉じるような態様での、横たわって運ばれる２つの重なりフローの統合を示唆する。この重なりフローは、鋭角で、製品の長さの半分のオフセットにて、互いに対して搬送される。当該製品は、横たわっている、すなわちそれらの表面法線が本質的に垂直方向を向いている。各々の場合、製品同士が出会う位置において、共通の運搬面から上方向にある領域にて重なりフローのうちの１つの製品が折り曲げられるので、各々の場合、別の重なりフローからの製品が中に移動し得る。２つの重なりフローは、このように、ジッパーを閉じるような態様で互いに噛合い、次いで共に運搬装置へと横断方向に押し出される。ここで、流れ込む重なり形成物は、ばらばらではないので、製品が薄いかまたは印刷によりまだ湿った状態の場合には特に、摩擦によって圧縮されるかまたは皺になってしまうことが起こり得る。
【０００６】
ＥＰ−Ａ−  ０１８９８９６は、２つの重なりフローを共に導くための方法を開示する。当該方法により、互いの上に存在する２つの運搬面において第１および第２の重なりフローが搬送される。次いで、製品の向きを変えることなく、単体化された製品が横たわって存在する程度まで前縁部の距離（重なり距離）が増加される。すなわち、当該距離はコンベア方向において計測される製品の長さよりも大きくなる。これらのフローは、個々の製品または各々の場合に互いの上に横たわる２つの製品の組からなる流れ込み形成物になるように組合される。当該製品または製品の組は順々に搬送される。代替的には、第１および第２の重なりフローから交互に配される個々の製品の重なり形成物が単体化の後に形成される。しかしながら、ここで必要とされる単体化ステップは実際には、低いコンベア
出力でしか行なわれ得ない。なぜならば、製品は、コンベア方向に大きく加速してしまうからである。今日の通常のコンベア出力およびコンベアスピードの場合、対応するコンベア容量を有する好適な装置、たとえばグリッパコンベア、が現在のところ存在しない。他方では、製品を高い負荷にさらすことのないよう、製品のこのような加速なしで済ますことが望まれる。
【０００７】
ＷＯ８８／００９１９は、複数のコンベアコンパートメントを有する回転ドラムによって、２つの重なりフローを共に共通の重なりフローへと導くための装置を開示する。コンベアコンパートメントの基部は、ドラムの半径よりも小さい半径を有する円筒形の表面上に存在する。それらは、横たわった態様で製品が挿入され得るように半径方向に対して傾斜する。各々の場合、２つの重なりフローの１つの製品が、交互の態様で、軸方向におけるオフセットを伴って、各々の場合、コンベアコンパートメントへと導入される。したがって、コンベアコンパートメントは、各々の場合、１つの製品しか受取り得ないように開口角度が小さい。コンベアコンパートメントは、各々の場合、横方向、具体的には、交互の態様で導入される製品の左および右に配され、かつ軸方向に移動可能である押込機を有する。製品は、これらの押込機の移動により中央に位置決めされる。次いで製品は送り出され、流れ出る共通の重なり形成物となる。このドラムの処理容量は、コンベアコンパートメントの数とそれらの最大スピードとによって規定される。高いコンベア出力を処理するためには、ドラムは多数のコンベアコンパートメントを備えなければならず、これにより対応する空間寸法が必要になる。
【０００８】
グリッパによって保持される製品の２つのフローを共に導くための装置が、ＥＰ−Ａ  ０  ３９９  １８８に開示される。ここで、製品は吊りかける態様でグリッパによって保持され、２つのコンベア経路に沿って搬送される。保持される製品の縁部は、コンベア方向に対して横断方向に向く。コンベア経路の距離は第１の領域では連続した態様で減少する。第２の領域では、コンベア経路は互いに対して平行に延在する。製品フローは、他方のコンベア経路のグリッパに対してコンベア方向にオフセットを有する一方のコンベア経路のグリッパにより、ジッパーを閉じるような態様で共通の製品フローへと統合される。これにより、各々の場合、第１の製品フローの１つの製品は、第２の製品フローの２つの製品の間に旋回する。対応する表面法線は第１の領域においては互いに対して連続して減少する角度を有し、統合された製品フローにおいては互いに対して平行である。随意であるが、さらなるグリッパコンベアのグリッパによって、第２の領域において受取りが行なわれてもよい。グリッパの移動経路およびそれらの距離は製品の幅に適合されなければならない。なぜならば、製品は横断方向においてある延在部を有するからである。特に、幅の広い製品の場合、上述した旋回運動を抑制しないために、それに対応してグリッパ間の距離が大きいことが必要である。重なりフローの処理に関する示唆は見受けられない。
【発明の概要】
【発明が解決しようとする課題】
【０００９】
したがって、この発明の目的は、上述した不利な点を回避するとともに高いコンベア出力の場合でも特に好適であり、かつ単純な態様で実施され得る、重なりフローを共に導くための方法と当該方法を実施するための装置とを特定することである。
【課題を解決するための手段】
【００１０】
この目的は、請求項１の特徴を有する方法と、請求項１０の特徴を有する装置とによって達成される。方法および装置のさらなる有利な実施例は、従属項、明細書、および図面において特定される。
【００１１】
この発明に従った方法は、平坦な製品が、空間的に互いから分離した２つの重なりフロー、すなわち製品のある重畳したものを有するコンパクトな形成物、で搬送されることを
想定する。製品は、通常重なり形成物において横たわっているので、表面法線は、一般に、本質的に垂直方向に方向付けされ、したがってコンベア方向に対して本質的に垂直に方向付けされる。フローは、中間コンベアによって受取られ、第１または第２の製品フローとしてさらに搬送される。これにより、個々の製品の間または少なくとも最初の形成物において互いに直接的に重畳して搬送される製品のグループの間に空間間隔が作り出される。空間間隔は、各々の場合、２つの製品が、製品の前表面または後ろ表面の少なくとも１つが好ましくは本質的に完全に露出するように、互いに対して距離を置いていることであると理解されるべきである。各々の場合、それぞれの他の製品フローの１つ以上の製品が、互いに擦れ合うことなく穏やかな態様でこれらの空間間隔の中に導入され得る。スペースをとるとともに機械的に負担になる、製品の面において製品同士を離れるように引っ張ることを避けるべく、製品フローの１つの少なくとも製品の向きが、製品フローの統合の直前においてその表面法線が本質的に水平方向をさすように変更される。この向きの変更は、重力を利用することで大きな手間なしに行なわれ得る。空間間隔を有する空間的にコンパクトな形成物が、製品をコンベア方向に著しく加速させる必要なしに生じる。製品フローの少なくとも１つのうちの製品は次いで、それらの表面法線が本質的に水平の向きにある状態、または吊りかけもしくは立位の状態で、他方の製品フロー内の空間間隔の中に挿入される。
【００１２】
この発明の好ましいさらなる構成に従えば、共に導かれる２つの製品フローにおける製品は、少なくとも製品フローの統合の間、本質的に同じ向きを有する、すなわち、互いに対応するそれらの表面法線および縁部が、各々の場合、同じ方向を指す。製品または製品のグループを共通の製品フローへと統合するために、互いに対して平行な変位のみが行なわれる。製品は好ましくは、製品を個々にまたはグループで動かすグリッパまたは他のコンベア手段により搬送される。ＥＰ−Ａ  ０  ３９９  １８８とは対照的に、この発明では、原理上、製品の厚みよりも幾分大きな空間間隔で十分である。製品の縁部の長さは、空間間隔の程度に影響を与えない。
【００１３】
代替的には、２つの製品フローの製品の表面法線の間の角度がより小さくてもよい。当該角度は、好ましくは０°と４５°との間であり、統合の間、本質的に変化しない。製品フローが互いに大きく重畳する場合にのみ、製品の向きが互いに対して適合される。
【００１４】
製品フローの統合により、製品フローは、第１の製品フロー製品によってカバーされる空間領域が少なくとも部分的に、好ましくは完全に、第２の製品フローの製品によってカバーされる空間領域と一致するようにともに導かれる。製品フローの距離は、たとえばコンベア方向において上および右側に存在するコーナー部のような、これらの空間領域内の互いに対応する２つの点の距離である。この距離は好ましくは０に低減される。
【００１５】
上述した空間間隔は、重なり形成物から一定の重なり距離で始まり、好ましくは、製品縁部がグリッパに把持されることにより導入されるか、またはポケットの中に導入される。当該製品は次いで、吊り掛けまたは直立する態様で搬送される。グリッパまたはポケットの向きに依って、柔軟な製品はさらに重力により折り曲げられてもよい。自由端部は、次いで台に支持されてもよく、これにより当該製品はさらに折り曲げられ得る。このような製品の折り曲げの場合、好ましくは折り曲げられた部分は、表面法線の方向を決定することについて考慮されない。製品の上述した動きは、それらを保持するコンベア手段の好適な動きにより引き起こされる。
【００１６】
さらに、いくつかの製品は、グリッパにグループで把持され得るか、またはポケットの中に移送され得る。この場合の空間間隔は、グループ間で位置決めされる。
【００１７】
代替例として、空間間隔は、製品が回転可能なコンベアドラムのコンベアコンパートメ
ントに個々にまたは好ましくはグループで導入されることにより作り出され得る。当該製品は上から、好ましくは重力により、それらの表面法線が水平に整列した状態で、導入される。コンベアコンパートメントに配した後、製品の表面法線は、その方向が好ましくはコンベア方向に対応するコンベアコンパートメントの支持表面の表面法線の方向を向く。コンベアコンパートメントは、各々の場合、製品を第１および第２の重なりフローから受取る。これらは異なる軸方向の位置にて送出され、付加的な押込手段または重力により軸方向に互いに対して押し込まれる。第１の製品フローからの製品の軸方向の変位が第２の製品フローからの製品の送出の前に行なわれる場合、製品は特に穏やかに取り扱われる。なぜならば、製品が互いの上で擦れ合うことが回避されるからである。
【００１８】
共通の製品フローは、交互に供給される第１または第２の重なりフローからの製品または製品のグループからなる。たとえば、製品を個々に順々に配する（１：１）こと、または同じ大きさのグループ（２：２，３：３…ｎ：ｎ）もしくはさらに異なる大きさのグループ（１：２，１：３，…，１：ｎ，２：３，２：４，…，ｍ：ｎ）に配することが可能である。したがって、別個の重なりフローで元々搬送される製品は、無限の連なりでさらに処理され得る。グループで搬送する場合、中間コンベアの多重使用により、容量の顕著な増加が達成される。元々の重なりフローは、同様に、重なる態様で互いの上に横たわる製品の積み重なったもの、および／または完全に構築された製品からなってもよい。
【００１９】
当該方法を実施するためのこの発明の装置は、第１および第２の重なりフローから製品を受取ることが可能であるとともに第１の製品フローの中または第２の製品フローの中にそれらを搬送することが可能なコンベア手段を含む。このようなコンベア手段は、たとえば、グリッパ、ポケット、またはさらにはコンベアドラムのコンベアコンパートメントである。当該製品は、上述した空間間隔が少なくとも短期間の間、作り出されるように搬送される。さらに、第１の製品フローの製品を変位させるための手段が与えられる。当該手段は、表面法線に本質的に垂直に延在する面において、これらを互いに対して移動させ、第２の製品フロー内の空間間隔へと移動させる。これにより、製品フローの距離がさらに低減され、最終的に、第１および第２の重なりフローからの製品からなる共通の製品フローが形成される。これらの手段はたとえば、互いに接近するグリッパまたはポケットのコンベア経路により実現され得る。異なる軸方向の位置にて第１または第２の重なりフローから製品を受取るコンベアコンパートメントを用いて、これらの手段は、軸方向に作用する押込機により実現され得る。代替的または付加的には、たとえば、製品が上からポケット、グリッパ、または製品がすでに配置されたコンベアコンパートメントの中にスライドすることによってといったように、重力が用いられてもよい。
【００２０】
重なり形成物への異なるコンパクトな送出、たとえば積み重なったものでの送出、が同様に考えられ得る。
【００２１】
この発明は、２つの製品フローの穏やかな、空間が節約された統合を可能にし、いくつかの製品の同等の搬送が与えられ、容量の顕著な増加を達成し得る。このために、ある程度、本質的に公知のコンベア装置が新しい態様で適用される。このため、この発明は設計において多大な手間なしに実現され得る。
【００２２】
この発明の例を図面において示し、以下に記載する。図面において、これらは純粋に概略的な態様で示される。
【図面の簡単な説明】
【００２３】
【図１】単純な製品からなる製品フローを統合する際におけるこの発明に従った方法の原理的な略図である。
【図２】製品の対からなる製品フローを統合する際におけるこの発明に従った方法の原理的な略図である。
【図３】互いに中に折り込まれる製品が搬送される重なりフローを統合する際におけるこの発明に従った方法の原理的な略図である。
【図４】製品が製品の対へと共にグループ分けされる、図３に従った方法の原理的な略図である。
【図５】互いに隣り合うよう配されるグリッパの２つの組を含むグリッパコンベアを有する、当該方法を実施するための装置の第１の変形例の図である。
【図６】互いに隣り合うよう配されるグリッパの２つの組を含むグリッパコンベアを有する、当該方法を実施するための装置の第１の変形例の図である。
【図７】互いに隣り合うよう配されるグリッパの２つの組を含むグリッパコンベアを有する、当該方法を実施するための装置の第１の変形例の図である。
【図８】互いの上に配される２つのグリッパコンベアを有する、当該方法を実施するための装置の第２の変形例を側面から見た図で示す図である。
【図９】互いの上に配される２つのグリッパコンベアを有する、当該方法を実施するための装置の第２の変形例を上から見た図で示す図である。
【図１０】コンベアドラムを用いる、この発明に従った方法の実行を示す図である。
【図１１】単一の重なりフローを処理する際における、図１０からのコンベアドラムを示す図である。
【図１２】校合ステッチングドラムにおいて共にまとめられた製品の柔軟な処理のための、この発明に従った方法の適用例を示す図である。
【発明を実施するための形態】
【００２４】
図１は、この発明に従った、２つの重なりフローＳ１，Ｓ２を共通の製品フローＰ３に統合するための方法の原理的な略図を示す。重なりフローまたは製品フローの平面図が示される。重なりフローＳ１，Ｓ２は、各々の場合、横たわる態様で配されるとともに重なり距離で互いに重畳する製品１０，２０からなる。製品１０，２０は同一であっても異なってもよい。ここでは、製品１０，２０が、たとえば新聞または雑誌のような折り込まれたものの場合である。
【００２５】
重なりフローＳ１，Ｓ２は、まず単体にされた製品１０，２０の製品フローＰ１，Ｐ２へと変換される。このために、製品１０，２０は、たとえば、中間コンベア（図５−図８参照）のグリッパにより個々に受入れられる。製品１０，２０は、吊りかけ位置へと移動され、表面法線１０，２４は水平方向を指し、前縁部または側縁部１０ａ，２０ａおよび１０ｂ，２０ｂはそれぞれ水平または垂直方向を指す。製品フローＰ１，Ｐ２はここで、同じ水平面において互いに隣り合うように配される。しかしながら、当該フローは互いの上に位置決めされてもよい（たとえば図８参照）。この場合、図１の真中領域はさらに、垂直面の部分として見ることができる。グリッパは、両方の場合、たとえば、前縁部１０ａ，２０ａの上、後縁部（図示せず）の上、または側縁部１０ｂ，２０ｂの上で係合し得る。
【００２６】
製品１０，２０は始めは、互いに対して距離をおいている移動経路１６，２６に沿って搬送され、統合の後は、共通の移動経路３６に沿って搬送される。移動経路１６，２６の間の距離ｄはしたがって０に低減される。たとえばその重心または縁部の中心といった、製品１０，２０に固定的に付与される点の移動経路は、製品の移動経路として見られ得る。移動経路は、グリッパのコンベア経路に対応するか、または当該コンベア経路と平行に延在し得る。
【００２７】
製品１０，２０もしくは製品フローＰ１，Ｐ２，Ｐ３によってカバーされる空間領域１８，２８，３８またはその横方向の終端が、破線の態様で示される。統合領域３９は、製品フローＰ１，Ｐ２の重畳が始まるところから始まり、最大の重畳部に到達すると終わる
。この領域において、製品１０，２０の表面法線１４，２４は互いに対して平行である（残りの領域も同様である）。空間において製品１０，２０の向きは変更されない。すなわち、表面法線１４，２４についての回転は行なわれず、すべての縁部１０ａ，１０ｂ，２０ａ，２０ｂの向きは統合の際には同じままである。
【００２８】
重なりフローＳ１，Ｓ２は、同じスピードで、かつ重なり距離の約半分に対応する、コンベア方向Ｆ１，Ｆ２において見られるオフセットｖにて運ばれる。これにより、製品１０，２０は、重なりフローを統合する際に正確なフェーズシフトを有することが確実となる。代替的には、移動経路１６，２６の一方が、他方よりも好適な量だけ長くなり得る。別の態様では、製品１０，２０の移動はさらに同期されてもよい。
【００２９】
製品間の空間の間隔１２，２２は、製品１０，２０を直立させることにより形成される。製品フローＰ１，Ｐ２における製品１０，２０の距離ａまたは空間間隔１２，２２の幅は、ここでは、重なり距離ｓにおおよそ対応するが、コンベアスピードが異なる場合は当該重なり距離と異なってもよく、好ましくは、重なり距離以下である。空間間隔１２，２２の幅ａは、製品１０，２０の厚みｂよりも大きいが、側縁部１０ｂ，２０の長さよりも著しく小さくなり得る。
【００３０】
製品フローＰ１，Ｐ２を統合するために、これらは、各々の場合、第１の製品フローＰ１の１つの製品１０が第２の製品フローＰ２における対応する空間間隔２２の中に移動するように共に導かれる。これは、この発明に従うと、製品１０，２０の表面法線１４，２４が同じ向きを有することにより、特に空間を節約する態様で行なわれる。これにより、製品１０，２０は互いに対して平行に整列される。製品は空間において自身の向きを変えることはない。製品表面に平行な移動により、製品フローＰ１，Ｐ２はしたがって、櫛のような態様で互いの中に移動され得る。このための空間間隔１２，２２は、製品の幅ｂよりも若干広いだけでよい。
【００３１】
統合の後、随意であるが、まだ分離した製品１０，２０からなる共通の製品フローＰ３が、たとえばコンベアベルト上への配置により、再び重なりフローＳ３に変換され得る。
【００３２】
図２は、図１の方法の修正例を示す。当該修正例では、元々の重なりフローＳ１，Ｓ２は、各々の場合、製品１０，２０の２つが一致する態様または小さいオフセットで互いの上に横たわって製品の対を形成する重なりフローＳ１′，Ｓ２′に変換されている。製品の対１１，２１は、図１における個々の製品１０，２０のように、グリッパによって把持され、空間間隔１２，２２を形成するために直立するようにされる。製品フローＰ１，Ｐ２は、図１と同様に、櫛のような態様で互いの中に移動される。共通の製品フローＰ３は、一致する態様または若干オフセットして互いの上に横たわる製品１０，２０の対からなる重なり形成物Ｓ３へと再び変換され得る。
【００３３】
さらに、２つより多い製品がグループにグループ化されてもよい。空間間隔は、グループの間に位置決めされる。この手法により、搬送のために利用されるコンベアの搬送容量と中間コンベアのそれとが２倍もしくは４倍になり得るか、またはしたがってコンベアスピードを低下させ得る。
【００３４】
同様に、図３は図１の方法の修正例を示す。当該方法では、単純な製品の代わりに、搬送される製品１０，２０が互いに折り込まれる２つの製品１０′，１０″，２０′，２０″からなる。製品１０′，１０″，２０′，２０″は同一のものであってもよく、異なってもよい。流れ込む重なり形成物Ｓ１，Ｓ２は、たとえば、互いに折り込まれるこのような製品を送り出す回転印刷機械を起源とする。共通の製品フローＰ３またはそこから作り出される重なり形成物Ｓ３の製造までのこれらの製品の取扱は、図１に対応する。ここで
概略的に示されるように、重なりフローＳ３が２つの部分の重なりフローＳ３′，Ｓ３″へと分離されるステップが加えられてもよい。このような分離するステップは、たとえば、ＤＥ−Ａ  ２４１７６１４、ＣＨ６３４５３０、またはＥＰ−Ａ  ０  ９３６  １６９に記載されているように設計され得る。
【００３５】
図４に示される方法は、図２の方法に対応するが、製品１０，２０が図３におけるように、互いに対して折り込まれる２つの製品１０′，１０″，２０′，２０″からなるということが異なる。共通の製品フローＰ３またはそれから形成される重なり形成物Ｓ３を分離した後、２つの部分が重ね合わさったフローＳ３′，Ｓ３″が作られ、これらの分けられた重なりフローは各々の場合、互いの上に横たわる製品１０′，２０′または１０″，２０″の対を含む。
【００３６】
図５は当該方法を実施するための装置を側面図で示す。図６および図７は、線Ａ−Ａおよび線Ｂ−Ｂに沿った断面を概略的に示す。
【００３７】
この装置は、送り出しコンベア装置４０と、中間コンベア５０と、遠離搬送装置７０とを含む。送り出しコンベア装置および遠離搬送装置４０，７０はここでは、ベルトコンベアとして設計され、それらのコンベアベルトの上で、製品１０，２０が重なり形成物Ｓ１，Ｓ２，Ｓ３の形で運搬される。送り出しコンベア装置４０は２つのベルトコンベアを含む。この図においては、当該ベルトコンベアのうち１つのみが見える。さらに、各々の場合、各ベルトコンベアに接続するサイクルコンベア４２が与えられ、このサイクルコンベアは一定の製品距離を設定するとともに、流れ込む重なり形成物Ｓ１，Ｓ２における不均一を補償し得る。
【００３８】
中間コンベア５０は、複数のグリッパ５２，５２′を有するグリッパコンベアとして設計され、送り出しコンベア装置４０／４２から製品１９０，２０を受取り領域６０において受取る。図６および図７において、グリッパコンベアのコンベア方向Ｆに対して垂直に見ると、グリッパ５２の第１のグループ５１がグリッパ５２′の第２のグループ５１′に対して水平方向に距離を置いている。各々の場合、グループ５１，５１′のグリッパ５２，５２′は、共通のコンベア経路５３，５３′に沿って移動される。コンベア経路５３，５３′は、グリッパ５２，５２′の任意の点の移動経路であり、ここでは、たとえばそのガイド要素５４，５４′の１つの移動経路である。コンベア経路５３，５３′は、したがって、コンベア方向Ｆに対して横断方向に互いに距離ｄ′を有する。図５における側面図において、コンベア経路５３，５３′は一致する。グリッパ５２，５２′のグループ５１，５１′の距離ｄ′は、ガイド要素５４，５４′と協働する好適なカムガイド５５，５５′によって、コンベア経路５３，５３′に沿った自身の位置に依存して設定される。
【００３９】
図５が示すように、第１のグループ５１のグリッパ５２はさらに、第２のグループ５１′のグリッパ５２′に対して、ある量ａ分だけ、コンベア経路５５の各点にて、グリッパコンベアのコンベア方向Ｆにオフセットする。製品１０，２０の構成は図１に対応する。
【００４０】
グリッパ５２，５２′の異なるグループ５１，５１′によって把持される製品１０，２０は、送り出しコンベア装置４０／４２からグリッパ５２，５２′によって受取られる際に、コンベア方向Ｆにおいて突出部にて互いに重畳しないように距離ｄ′が選択される。この場合を図６に示す。ここで、製品１０，２０は互いに隣り合うように位置決めされ、それぞれの製品フローＰ１，Ｐ２は重畳しない。
【００４１】
距離ｄ′は、グリッパ５２，５２′の順方向の移動の過程において、カムガイド５５，５５′によって低減される。製品フローＰ１，Ｐ２は、これにより、櫛のような態様で互いの中に押し入れられる。ここで、コンベア方向Ｆにおいて見られる第１のグループ５１
のグリッパ５２によって保持される製品１０は、図７に従った図において、第２のグループ５１′のグリッパ５２′によって保持される製品２０のすぐ前または後ろに位置決めされる。
【００４２】
製品１０，２０は、その後、転送位置６２にて、遠離搬送装置７０のコンベアベルトの上に配される。
【００４３】
以下、中間のコンベア５０をより詳細な態様で記載する。グリッパ５２，５２′の２つのグループ５１，５１′ならびにそれらのガイドおよび駆動装置は、垂直面に対して鏡面対称の態様で設計される。グリッパ５２，５２′は、細長いガイドロッド５７，５７′の上に配されるとともにこれに沿って変位可能である基体５６，５６′からなる。グリッパ５２，５２′はさらに、グリッパ顎部５８，５８′を含む。これにより、製品１０，２０をガイドロッド５７，５７′と平行に延在する縁部の上に保つが、原則、これらの製品はガイドロッド５７，５７′に対して垂直に延在する縁部上に保持され得る。グリッパ顎部５８，５８′は、基体５６，５６′に対して突出するように配される。すなわち、非対称の態様で配される。図６および図７において、右に配されるグループのグリッパ顎部５８は、左に突出し、その逆も同様である。これにより、製品１０，２０は、縁部上にて中心で把持され得、コンベア方向Ｆで見ると、グリッパ５２，５２′のコンベア経路５３，５３′が交差または重畳することなく、重畳するように動かされ得る。さらに、個々の移動可能なグリッパが、共通のコンベア経路へと共に導かれることも考えられ得る。
【００４４】
ガイドロッド５７，５７′は水平な態様で整列される。それらは、たとえば、垂直方向に向けられるプレートにおけるガイド溝のような、横方向のガイド５９，５９′においてガイドされる。ガイドロッド５７，５７′は、楕円形状の移動経路に沿って動く。この移動は、横断方向の変位を除いて、グリッパ５２，５２′の移動にも対応する。ガイドロッド５７，５７′は、たとえば、引張り要素のようなここでは示されない移動要素によって駆動される。
【００４５】
同様にここで示されないカムガイドによって、グリッパ５２，５２′は、受取り位置６０にて閉じられ、転送位置６２にて再び開かれる。グリッパ５２，５２′は、コンベア経路５３，５３′の上側部分を介して、空っぽの態様で運搬され、再び受取り位置６０に戻る。
【００４６】
製品１０，２０がそれらの自由端部にて扇型に広がるのを防止するべく、スパイラルまたは螺旋状のコンベア６４が中間コンベアの下に配される。
【００４７】
図８および図９は、この発明に従った方法を実施するためのさらなる装置を、側面から見た図（図８）または上から見た図（図９）で示す。当該装置は、互いに独立する２つのグリッパコンベア５０′，５０″を含む中間コンベア５０を含む。これらは、グリッパ５２，５２′の第１および第２のグループ５１，５１′をそれぞれ第１または第２のコンベア経路５３，５３′に沿って搬送する。コンベア経路５３，５３′は、互いの上に位置決めされる。平面視すると、第１の部分において、コンベア経路５３，５３′は、距離が減少していく状態で、互いに対して隣り合うよう延在し、第２の部分においては同じ垂直面にて延在する。製品フローＰ１，Ｐ２によってカバーされる空間領域１８，２８は、したがって、まず互いに対して水平方向および垂直方向に距離をおいている。それらの重畳部が始まる領域は、統合領域３９である。
【００４８】
上側グリッパコンベア５０′は、第１の重なりフローＳ１を起源とする製品１０をそれらの上側縁部にて把持し、これらを吊りかける態様で搬送するか、または局所的に台６５でそれらの自由端部を支持した状態で搬送する。下側グリッパコンベア５０″は、第２の
重なりフローＳ２を起源とする製品をそれらの下側縁部にて把持し、これらをここではコンベア方向Ｆにおいて若干傾斜する本質的に立位でこれらを搬送する。グリッパコンベア５０′，５０″は、統合領域３９の前において、水平および垂直方向に互いに接近する。統合領域３９の前では、上側の製品１０の表面法線１４は本質的に水平な態様で整列する。空間間隔２２が、下側のグリッパ５２′による製品２０の把持によって、下側の製品２０の間に形成される。上側の製品１０はこれらの中に導入され得る。それらの自由端部がこのような空間間隔２２の中に入った後、製品１０，２０は垂直方向に互いに対して動かされる。これは、一方では、下側グリッパコンベア５０″のコンベア経路５２′が斜め上に向けられることにより行なわれ、他方では、上側の製品１０に割当てられるグリッパ５２によって上側の製品１０が開放され、重力によって下側グリッパ５２′の中へとスライドすることによって行なわれる。したがって、下側グリッパ５２′は共通製品フローＰ３として、２つの製品１０，２０を搬送する。
【００４９】
グリッパコンベア５０，５０′のコンベア経路５３，５３′の距離の変化は、製品フローＰ１，Ｐ２を統合するのに本質的に必要とされる。この変化は、製品の幅におおよそ対応する。ここで、このサイズは、上側の製品１０の自由端部を台６５が曲げることにより低減され、これにより実質的な製品の幅が短くなる。上述した意味での表面法線は、製品の曲げられない部分のものである。
【００５０】
この例でも、上または下縁部上に係合する代わりに、グリッパは上述した移動を実行するよう側縁部上に係合し得る。
【００５１】
グリッパコンベア５０″の代わりに、下から製品１０，２０を支持するポケットを有するポケットコンベアが適用され得る。当該ポケットの支持壁部はここでのグリッパ５２のクランピング要素と同様に、垂直方向に方向付けされてもよいし、または垂直にならないように傾斜してもよい。
【００５２】
製品１０，２０は、たとえば、互いの中に折り込まれる製品１０，２０からなる重なり形成物Ｓ０に送り出される。この形成物Ｓ０は、ここでは記載されない手段により、２つの単純な重なりフローＳ１，Ｓ２へと分割され、送り出しコンベア装置４０，４０″によって搬送される。重なりフローＳ１の製品１０は、上側のグリッパ５２によって受入れられる。他方の重なりフローＳ２はそれでもさらに、統合領域３９の直前まで搬送される。次いで、その製品２０は、サイクルコンベア４２による付加的な整列または循環の後、下側グリッパコンベア５０″によって受取られ、共通の製品フローＰ３としてさらに搬送される。次いで、製品１０，２０はコンベアベルト上に配されるか、別の態様で処理される。
【００５３】
図１０は、中間コンベア５０として本質的に公知であるコンベアドラム８０を有する、この発明に従った方法を実施するためのさらなる装置を上から見た図で示す。コンベアドラム８０は、その長手方向軸８４について回転可能であり、多数のコンベアコンパートメント８２を含む。コンベアコンパートメント８２は、半径方向に開口し、半径方向に整列する支持壁部８３を有する。送り出しコンベア装置４０が２つのコンベアベルトを含むので、製品１０，２０は、重なり形成物Ｓ１，Ｓ２で２つの受取り位置６０，６０′に搬送される。これらは、軸および半径方向において、コンベアドラム８０の上にて互いに距離をおくように存在する。第１の製品１０は、第１の受取り位置６０にて、個々にまたは複数で送り出される。ドラムの回転の間、これらは、第２の受取り位置６０′の軸位置をとるように、好適な変位手段によって軸方向に変位される。この変位は、コンベアコンパートメント８２が第２の受取り位置６０′に到達するとともに第２の製品２０が送り出される前に実行される。したがって、第２の製品２０は第１の製品１０で既にいっぱいになっているコンベアコンパートメント８２の中に上から導入される。製品が互いに擦り合うの
が大きく回避される。第２の製品２０を送り出す際の相対運動は、製品面または垂直方向における運動である。同様に、第１の製品は、支持壁部８３の上に支持される際に、まっすぐされるか、これに対して若干傾斜され得る。個々の製品１０，２０またはそれらのグループが、送り出された重なり形成物Ｓ１′，Ｓ２から分離され、コンベアコンパートメント８２の中に導入されるので、製品フローＰ１，Ｐ２における空間間隔１２，２２が存在する。製品は、共通の製品フローＰ３に、転送位置６２にて配される。
【００５４】
図８および図９と同様に、流れ込む重なり形成物Ｓ１，Ｓ２は、互いに折り込まれる製品の重なり形成物５０を起源とし得る。
【００５５】
重なり形成物Ｓ１，Ｓ２の代わりに、製品は別の構成で送り出されてもよい。たとえば、積み重なったものの形態または個々に送り出されてもよい。
【００５６】
図１１は、２つの重なり形成物Ｓ１，Ｓ２の代わりに、１つだけの重なり形成物Ｓが運搬されることになる場合を示す。この場合、コンベアドラムは架橋されてもよい。代替例として、製品は、受取り位置６０′にてコンベアコンパートメント８２の中に運ばれ、転送位置６２にて下流に再び配されてもよい。この場合は、たとえば、ページ数が多い製品が回転により製造されることになる際に行なわれる。
【００５７】
図１２は、校合ステッチングドラム１００を用いる製品１０，２０の製造と組合される、この発明に従った方法の適用例についての例を示す。このような校合ステッチングドラムは、たとえば、ＥＰ−Ａ  ０  ３４１  ４２５またはＥＰ−Ａ  ０  ５５０  ８２８から本質的に公知である。それらは特に、これにより個々の製品部分から全体の製品をまとめ上げるよう雑誌の製造に適用される。製品部分は、たとえば、個々の印刷されたシートおよび／またはその付属物であり、軸方向においてオフセットして配されるいくつかの送り出しステーション１１０，１１２にて校合ステッチングドラム１００へと送り出され、軸方向に運搬され、随意であるが、ステッチングの後さらに再び取除き領域において取除かれる。ここで、校合ステッチングドラム１００は、互いに結合される２つのモジュール１０２，１０４からなる。各モジュール１０２，１０４は、実質的に同じように構成され、送り出しステーション１１０および１１２と、ステッチングモジュール１０６および１０８と、取除き領域Ｅ１およびＥ２とを含む。
【００５８】
各場合において、モジュールの１つにて製造される製品１０，２０は、取除き領域Ｅ１，Ｅ２にて第１のモードで取除かれ、さらなる処理ステーション１１４，１１６に導かれ、各々の場合、互いに独立してさらに処理される。モジュール１０２，１０４において製造される製品１０，２０は同一であってもよく、互いに異なってもよい。
【００５９】
いくつかの適用例の場合、個々のモジュール１０２，１０４を用いて処理され得るよりも多くの製品部分を含む組付けられた最終製品を製造するのが望ましい場合がある。このため、第２のモードでは、２つのモジュール１０２，１０４の取除き領域Ｅ１，Ｅ２で生じる製造フローＰ１，Ｐ２が、この発明に従った方法の助けを借りるか、またはこの発明に従った装置を用いて、共通のコンベア経路２６に沿って移動する製品フローＰ３になるようにコンベア経路に沿ってともに導かれる。モジュール１０２，１０４において製造される製品１０，２０はこの場合、同等のものであるのが好ましい。この発明に従って製造される共通の製品フローＰ３は、製品１０，２０の対からなる。これらは次いで、さらなる処理ステーション１１６へと導かれ、その間、他方のさらなる処理ステーション１１４は非活性状態である。
【００６０】
ここで、２つのモジュール１０２，１０４の取除き領域Ｅ１，Ｅ２にて生じる製品フローＰ１，Ｐ２は、グリッパフローとして概略的に示されるが、重なりフローは同様に、生
じた後でグリッパの中に転送されるか、または重なりフローとしてさらに処理されるかであってよい。
【００６１】
示される構成は、互いから独立し、各々の場合、それぞれｎ１およびｎ２の製品部分を有する製品１０，２０か、またはｎ１＋ｎ２の製品部分を有するより複雑な製品を、需要に依って製造し得る利点を有する。ｎ１およびｎ２はそれぞれのモジュールの送り出しステーション１１０，１１２の数にそれぞれ対応する。これにより、公知の処理装置の柔軟性が著しく上昇する。さらに、もちろん、モジュール構成された校合ステッチングドラムの代わりに、互いに独立したいくつかの校合ステッチングドラムを適用してもよい。
【図１】
2010516586.tif 000003
【図２】
2010516586.tif 000004
【図３】
2010516586.tif 000005
【図４】
2010516586.tif 000006
【図５】
2010516586.tif 000007
【図６】
2010516586.tif 000008
【図７】
2010516586.tif 000009
【図８】
2010516586.tif 000010
【図９】
2010516586.tif 000011
【図１０】
2010516586.tif 000012
【図１１】
2010516586.tif 000013
【図１２】
2010516586.tif 000014
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
特に印刷製品のような平坦な製品の少なくとも１つの第１および第２の重なりフローを、第１または第２の重なりフローの製品からなる共通の製品フローに統合するための方法であって、前記方法は、
第１の重なりフローおよび第２の重なりフローにおける平坦な製品を搬送するステップを含み、重なりフローは最初は互いに対して距離を置いて配され、前記方法はさらに、
第１および第２の重なりフローから中間コンベアに製品を転送するステップと、
第１の製品フローおよび第２の製品フローにおいてそれぞれ、製品を中間コンベアによって搬送するステップと、
搬送するステップの間、製品フロー同士が少なくとも同じ空間領域をほぼ通って動くように製品フロー同士の距離を連続的に減少させることにより、共通の製品フローを形成するステップとを含み、
共通の製品フローを形成するステップはさらに、
それぞれ第１および第２の製品フロー内において、個々の製品の間または製品のグループの間に空間間隔を作り出すことと、
製品フローの少なくとも１つのうちの製品を、それらの表面法線を本質的に水平の向きで配することと、
製品をそれらの表面法線が本質的に水平の向きにある状態で他の製品フロー内の空間間隔に挿入し、共通の製品フローを作り出すこととを含む、方法。
【請求項２】
少なくとも共通の製品フローを作り出すステップの間、製品をそれらの縁部およびそれらの表面法線が空間において一定に整列した状態で搬送することをさらに含む、請求項１に記載の方法。
【請求項３】
互いに対応する縁部とそれらの表面法線とが互いに平行に延在するような態様で互いに整列する両方の製品フローの製品を搬送し、少なくとも共通の製品フローを形成するステップの間、製品をそれらの表面法線に垂直なように互いに対して変位させることをさらに含む、請求項２に記載の方法。
【請求項４】
特にグリッパのような、第１および第２のコンベア要素の２つのグループをそれぞれ含
む中間コンベアを設けるとともに、第１および第２のコンベア要素を第１および第２のコンベア経路にそれぞれ沿って動かすことと、
第１および第２の重なりフローから第１および第２のコンベア要素にそれぞれ製品を転送することと、
それぞれ第１および第２のコンベア要素の相対運動により共通の製品フローを形成することと、
第１および／または第２のコンベア要素によって製品をさらに共通の製品フローにおいて搬送することとをさらに含む、請求項１に記載の方法。
【請求項５】
重なり形成物において、製品フローの少なくとも１つのうちの製品をそれらの前または後の縁部で保持し、少なくとも共通の製品フローを形成するステップの直前には、吊りかけおよび／または立位の態様で製品を搬送することをさらに含む、請求項４に記載の方法。
【請求項６】
製品フローが統合される領域の後の第１のコンベア経路は、第２のコンベア経路と平行かつ水平方向に距離を置いて延在する、請求項１に記載の方法。
【請求項７】
少なくとも製品フローの統合の間の第１のコンベア経路は、第２のコンベア経路と平行に延在するとともに、垂直方向に距離を置いている、請求項１に記載の方法。
【請求項８】
中間コンベアとして、軸方向に延在する軸について回転可能であるとともに半径方向に開口する複数のコンベアコンパートメントを有するコンベアドラムを設けることと、
互いに軸方向に距離を置く転送位置にて、第１および第２の重なりフローから共通のコンベアコンパートメントに製品を転送することと、
共通のコンベアコンパートメントにおいて製品を配することと、
コンベアドラムの回転の間、共通のコンベアコンパートメントに配される製品を、重畳するような態様で軸方向に互いに対して変位させることとをさらに含む、請求項１に記載の方法。
【請求項９】
共通の製品フローは個々の製品または製品のグループを含み、前記製品または製品のグループは交互の順序で配されるとともに、各々の場合、第１または第２の重なりフローを起源とする、先行する請求項の１つに記載の方法。
【請求項１０】
特に印刷製品のような平坦な製品の少なくとも１つの第１および第２の重なりフローを、第１または第２の重なりフローの製品からなる共通の製品フローに統合するための装置であって、前記装置は、
第１の重なりフローおよび第２の重なりフローにおける平坦な製品を搬送するための第１および第２のコンベアを含み、第１および第２のコンベアは互いに対して距離を置いて配され、前記装置はさらに、
第１および第２のコンベアから製品を受取ることが可能であるとともに、それぞれ第１の製品フローおよび第２の製品フローにおいてそれらを搬送することが可能であるコンベア要素を有する中間コンベアを含み、該搬送は、それぞれ第１および第２の製品フロー内に空間間隔が作り出され、かつ製品フロー同士が少なくとも同じ空間領域をほぼ通って動いて共通の製品フローを形成するように製品フローの１つの少なくとも製品をそれらの表面法線が本質的に水平な向きにある状態で、他の製品フロー内の空間間隔の中に変位させることにより製品フローの距離を減少させる態様で行なわれる、装置。
【請求項１１】
中間コンベアは、特にグリッパのような第１および第２のコンベア要素の２つのグループをそれぞれ含み、前記グループは互いに独立しており、前記コンベア要素はそれぞれ第１および第２のコンベア経路に沿って移動可能であり、第１および第２のコンベア経路は
、コンベア経路の過程において変化する互いに対する距離を有する、請求項１０に記載の装置。
【請求項１２】
第１および第２のコンベア経路は互いに対して水平方向に距離を置いて配される、請求項１１に記載の装置。
【請求項１３】
中間コンベアは、互いに平行に方向付けされるとともに、各々の場合、閉じた第１および第２の旋回経路にそれぞれ沿って移動可能である複数の第１および第２のガイドロッドを含み、第１および第２の旋回経路は第１および第２のガイドロッドに垂直に方向付けされるとともに互いに平行に延在し、第１および第２のコンベア要素は、各々の場合、ガイドロッド上に搭載されるとともにコンベア要素の距離を変えるためにこれに沿って変位可能である、請求項１２に記載の装置。
【請求項１４】
第１のコンベア経路は、垂直方向において第２のコンベア経路の上に配される、請求項１１に記載の装置。
【請求項１５】
第２のコンベア要素は、第１のコンベア要素が搬送する製品を受取ることが可能であるとともに、第１および第２の製品をともに搬送することが可能である、請求項１４に記載の装置。
【請求項１６】
中間コンベアは、半径方向に開口する複数のコンベアコンパートメントと、共通のコンベアコンパートメントに配される製品を、互いに重畳するような態様で、コンベアドラムの回転の間、互いに対して軸方向に変位させることが可能な変位要素とを有する回転可能なコンベアドラムを含む、請求項１０に記載の装置。
【国際調査報告】
2010516586.tif 000015
2010516586.tif 000016
2010516586.tif 000017
2010516586.tif 000018